(57)【要約】【課題】本発明は、送風機羽根車をファン効率向上の観点から、羽根枚数が２枚から構成し、それから発生する回転騒音を低減することを目的としたものである。【解決手段】翼枚数が２枚からなる主翼を設け、前記主翼の外周側弦長がハブ側弦長より長く、前記主翼の間に翼枚数が２枚からなる略扇状の補助翼を設け、前記補助翼の半径方向長さが前記主翼の半径方向長さより短く、且つ、前記補助翼の羽根高さが前記主翼の羽根高さより低く構成した送風機羽根車を構成している。【選択図】図１
2005054717.tif 000002
【特許請求の範囲】
【請求項１】
ハブに複数枚の翼を設けてなるプロペラファンにおいて、前記翼を主翼と補助翼から構成し、前記主翼の外周側弦長がハブ側弦長より長く、前記主翼の間に前記補助翼を設け、前記補助翼の半径方向長さが前記主翼の半径方向長さより短くしたことを特徴とする送風機羽根車。
【請求項２】
ハブに複数枚の翼を設けてなるプロペラファンにおいて、前記翼を主翼と補助翼から構成し、前記主翼の外周側弦長がハブ側弦長より長く、前記主翼の間に前記補助翼を設け、前記補助翼の羽根高さが前記主翼の羽根高さより低くしたことを特徴とする送風機羽根車。
【請求項３】
円筒状のハブに、複数枚の翼を設けてなるプロペラファンにおいて、主翼を設け、前記主翼は外周側弦長がハブ側弦長より長く、前記主翼の間に補助翼を設け、前記補助翼の半径方向長さが前記主翼の半径方向長さより短く、且つ、前記補助翼の羽根高さが前記主翼の羽根高さより低くしたことを特徴とする送風機羽根車。
【請求項４】
前記主翼の枚数を２枚としたことを特徴とする請求項１〜３いずれか記載の送風機羽根車。
【請求項５】
前記補助翼が略扇型形状であることを特徴とする請求項１〜３いずれか記載の送風機羽根車。
【請求項６】
前記主翼の外周側前縁に三角形の一辺を合わせる形で三角状の翼をつけて、翼の半径を同一としたことを特徴とする請求項１〜３いずれか記載の送風機羽根車。
【請求項７】
前記主翼の前縁を回転方向に前傾した略螺旋曲線にて構成したことを特徴とする請求項１〜３いずれか記載の送風機羽根車。
【請求項８】
前記補助翼の前縁を回転方向に前傾させた略扇台状でであることを特徴とする請求項１〜３いずれか記載の送風機羽根車。
【請求項９】
前記補助翼の前縁を回転方向に前傾させた螺旋曲線にしたことを特徴とする請求項１〜３いずれか記載の送風機羽根車。
【請求項１０】
略円錐台状のハブに、複数枚の翼を設けてなる斜流ファンにおいて、翼枚数が２枚からなる主翼を設け、前記主翼の外周側弦長がハブ側弦長より長く、前記主翼の間に翼枚数が全体として２枚からなる略扇状の補助翼を設け、前記補助翼の半径方向長さが前記主翼の半径方向長さより短く、且つ、前記補助翼の羽根高さが前記主翼の羽根高さより低く構成した送風機羽根車。
【発明の詳細な説明】
【技術分野】
【０００１】
本発明は、空気調和機に用いられる送風機羽根車に関するもので、特に、同羽根車の静圧効率の向上に関わる構成に関する。
【背景技術】
【０００２】
主翼に対して補助翼を設けた羽根車として、ラジエタ−５０の下流側にシュラウドリング５１と、ハブ５２に固定された主翼５３とに必要なクリアランスをとり、補助翼５４が主翼５３の中心より下流側にオフセットされて主翼５３に設置されている。この構成のより、チップクリアランスの隙間の部分の流れを増速して、チップクリアランス部の逆流を減少させて、ファン効率を向上させると言うものがある（例えば特許文献１参照）。
【特許文献１】特開平１０−２０５３３０号公報
【発明の開示】
【発明が解決しようとする課題】
【０００３】
しかしながら、上記の従来の構成では、主翼５３のチップクリアランスに生じる逆流を減少させてファン効率を向上させようとするものであり、補助翼５４によるファン効率改善効果は、微細である。却って、補助翼５４によって騒音が増加するものである。更に、翼枚数は、２枚以上の複数枚であり、空力性能寄与に対する翼面積の投入量が大きく、この事により翼による流体摩擦が大きくなり、ファン効率の向上には、ある程度の限界があった。
【課題を解決するための手段】
【０００４】
上記課題を解決するために本発明は、円筒状のハブに、複数枚の翼を設けてなるプロペラファンにおいて、翼枚数が２枚からなる主翼を設け、主翼の外周側弦長がハブ側弦長より長く、主翼の間に翼枚数が全体として２枚からなる略扇状の補助翼を設け、補助翼の半径方向長さが主翼の半径方向長さより短く、且つ、補助翼の羽根高さが主翼の羽根高さより低く構成した送風機羽根車を提供するものである。
【０００５】
上記構成によって、主翼の枚数が２枚であるので、主に空力性能に寄与する翼面積の投入量が適正であるので、流体摩擦が少なく、ファン効率が高い。また、２枚の主翼のみでは、羽根車の回転騒音が乱流騒音より非常に高く、とても耳障りである。翼枚数ｚと回転数Nｒｐｍとすると、主翼の間に設けられた補助翼も空力仕事の寄与するので、全体として、翼枚数は４枚と言え、それぞれに空力仕事をするので、空力仕事が分散させるので、翼１枚当たりの翼面上の圧力変動のレベルが小さくなり、回転騒音Nz音のレベルは、乱流騒音のレベルより低く、聴感も良好である。補助翼の半径方向長さが主翼の半径方向長さより短く、且つ、補助翼の羽根高さが主翼の羽根高さより低いので、主翼から発生する翼端渦に補助翼が、干渉することがなく、羽根車としての騒音も低くできる。
【発明の効果】
【０００６】
上記実施例から明らかなように、円筒状のハブに、複数枚の翼を設けてなるプロペラファンにおいて、翼枚数が２枚からなる主翼を設け、主翼の外周側弦長がハブ側弦長より長く、主翼の間に翼枚数が全体として２枚からなる略扇状の補助翼を設け、補助翼の半径方向長さが主翼の半径方向長さより短く、且つ、補助翼の羽根高さが主翼の羽根高さより低く構成することによって、主翼の枚数が２枚であるので、主に空力性能に寄与する翼面積の投入量が適正であるので、流体摩擦が少なく、ファン効率が高い。また、２枚の主翼のみでは、羽根車の回転騒音が乱流騒音より非常に高く、とても耳障りである。翼枚数ｚと回転数Nｒｐｍとすると、主翼の間に設けられた補助翼も空力仕事の寄与するので、全体として、翼枚数は４枚と言え、それぞれに空力仕事をするので、空力仕事が分散させるので、翼１枚当たりの翼面上の圧力変動のレベルが小さくなり、回転騒音Nz音のレベルは、乱流騒音のレベルより低く、聴感も良好である。補助翼の半径方向長さが主翼の半径方向長さより短く、且つ、補助翼の羽根高さが主翼の羽根高さより低いので、主翼から発生する翼端渦に補助翼が、干渉することがなく、羽根車としての騒音も低くできる。
【発明を実施するための最良の形態】
【０００７】
本発明の第１の実施の形態は、ハブに複数枚の翼を設けてなるプロペラファンにおいて、前記翼を主翼と補助翼から構成し、前記主翼の外周側弦長がハブ側弦長より長く、前記主翼の間に前記補助翼を設け、前記補助翼の半径方向長さが前記主翼の半径方向長さより短くしたことを特徴とする。これにより、主翼から発生する翼端渦に補助翼が、干渉することがなく、羽根車としての騒音も低くできる。
【０００８】
本発明の第２の実施の形態は、ハブに複数枚の翼を設けてなるプロペラファンにおいて、前記翼を主翼と補助翼から構成し、前記主翼の外周側弦長がハブ側弦長より長く、前記主翼の間に前記補助翼を設け、前記補助翼の羽根高さが前記主翼の羽根高さより低くしたことを特徴とする。これにより、主翼から発生する翼端渦に補助翼が、干渉することがなく、羽根車としての騒音も低くできる。
【０００９】
本発明の第３の実施の形態は、円筒状のハブに、複数枚の翼を設けてなるプロペラファンにおいて、主翼を設け、前記主翼は外周側弦長がハブ側弦長より長く、前記主翼の間に補助翼を設け、前記補助翼の半径方向長さが前記主翼の半径方向長さより短く、且つ、前記補助翼の羽根高さが前記主翼の羽根高さより低くしたことを特徴とする。これにより、補助翼の半径方向長さが主翼の半径方向長さより短く、且つ、補助翼の羽根高さが主翼の羽根高さより低いので、主翼から発生する翼端渦に補助翼が、干渉することがなく、羽根車としての騒音も低くできる。
【００１０】
本発明の第４の実施の形態は、前記主翼の枚数を２枚としたことを特徴とする。これにより、主翼の枚数が２枚であるので、主に空力性能に寄与する翼面積の投入量が適正であるので、流体摩擦が少なく、ファン効率が高い。
【００１１】
本発明の第５の実施の形態は、前記補助翼が略扇型形状であることを特徴とする。これにより、主翼のみでは、羽根車の回転騒音が乱流騒音より非常に高く、とても耳障りであるが、翼枚数ｚと回転数Nｒｐｍとすると、主翼の間に設けられた補助翼も空力仕事の寄与するので、それぞれに空力仕事をするので、空力仕事が分散させるので、翼１枚当たりの翼面上の圧力変動のレベルが小さくなり、回転騒音Nz音のレベルは、乱流騒音のレベルより低く、聴感も良好である。
【００１２】
本発明の第６の実施の形態は、主翼の外周側前縁に三角形の一辺を合わせる形で三角状の翼をつけて、翼の半径を同一とししたことを特徴とする。これにより、主翼の外周側前縁に三角形の一辺を合わせる形で三角状の翼をつけて、翼の半径を同一とすることで、三角状の翼の頂点を起点として、翼端渦が発生する。この三角状の翼は、翼端渦の発生の状況を規定する作用を有する。そのため、補助翼の半径方向長さが主翼の半径方向長さより短く、且つ、補助翼の羽根高さが主翼の羽根高さより低いのと相まって、主翼から発生する翼端渦に補助翼が、干渉することなしに、三角状の翼が翼端渦をコントロ−ルできるものであり、羽根車としての騒音も十分に低くできる。
【００１３】
本発明の第７の実施の形態は、主翼の前縁を回転方向に前傾した略螺旋曲線にて構成しことを特徴とする。これにより、主翼の前縁を回転方向に前傾した略螺旋曲線にすることで、螺旋曲線の頂点を起点として、主翼の翼端渦が発生するので、翼端渦の発生の状況を規定する作用を有する。そのため、補助翼の半径方向長さが主翼の半径方向長さより短く、且つ、補助翼の羽根高さが主翼の羽根高さより低いのと相まって、主翼から発生する翼端渦に補助翼が、干渉することなしに、前縁の螺旋曲線の頂点が翼端渦をコントロ−ルできるものであり、羽根車としての騒音も十分に低くできる。
【００１４】
本発明の第８の実施の形態は、補助翼の前縁を回転方向に前傾させた略扇台状で構成したことを特徴とする。これにより、補助翼の前縁を回転方向に前傾させた略扇台状にしていることで、補助翼が斜めに空気を切るので、補助翼の前縁が空気を切る時間のタイミングがずれるので、補助翼の空力仕事による騒音が小さくなり、羽根車全体として、更に、低騒音化を図れるものである。
【００１５】
本発明の第９の実施の形態は、補助翼の前縁を回転方向に前傾させた螺旋曲線にて構成したことを特徴とする。これにより、補助翼の前縁を回転方向に前傾させた螺旋曲線にしているので、補助翼が斜めに空気を切るので、補助翼の前縁が空気を切る時間のタイミングがずれるので、補助翼の空力仕事による騒音が小さくなり、羽根車全体として、更に、低騒音化を図れるものである。
【００１６】
本発明の第１０の実施の形態は、略円錐台状のハブに、複数枚の翼を設けてなる斜流ファンにおいて、翼枚数が２枚からなる主翼を設け、主翼の外周側弦長がハブ側弦長より長く、主翼の間に翼枚数が全体として２枚からなる略扇状の補助翼を設け、補助翼の半径方向長さが主翼の半径方向長さより短く、且つ、補助翼の羽根高さが主翼の羽根高さより低く構成したことを特徴とする。これにより、主翼の枚数が２枚であるので、主に空力性能に寄与する翼面積の投入量が適正であるので、流体摩擦が少なく、ファン効率が高い。また、２枚の主翼のみでは、羽根車の回転騒音が乱流騒音より非常に高く、とても耳障りである。翼枚数ｚと回転数Nｒｐｍとすると、主翼の間に設けられた補助翼も空力仕事の寄与するので、全体として、翼枚数は４枚と言え、それぞれに空力仕事をするので、空力仕事が分散させるので、翼１枚当たりの翼面上の圧力変動のレベルが小さくなり、回転騒音Nz音のレベルは、乱流騒音のレベルより低く、聴感も良好である。補助翼の半径方向長さが主翼の半径方向長さより短く、且つ、補助翼の羽根高さが主翼の羽根高さより低いので、主翼から発生する翼端渦に補助翼が、干渉することがなく、羽根車としての騒音も低くできる。さらに、斜流ファンであるので、プロペラファンと比較して、遠心力場による圧力上昇があるので、静圧も高くすることができる。
【実施例】
【００１７】
以下に、本発明の一実施例の空調用送風機羽根車について、図面を参照して説明する。
【００１８】
（実施例１）
本発明の第一の実施例を、図１・２・３・４を用いて説明する。
【００１９】
図１は、本発明の空調用送風機羽根車の平面図。図２は、本発明の空調用送風機羽根車の子午面図。図３は、本発明の空調用送風機羽根車における翼端渦の発生状況を示した模式図。図４は、本発明の空調用送風機羽根車の動作状況を示した模式図である。
【００２０】
図１に於いて、円筒状のハブ４に、複数枚の翼を設けてなるプロペラファン１において、翼枚数が２枚からなる主翼２を設け、主翼の外周側弦長がハブ側弦長より長く、主翼２の間に翼枚数が全体として２枚からなる略扇状の補助翼３を設けている。前縁５から空気が流入し、後縁６から流出する。７がチップ部である。また、図２において、補助翼３の半径方向長さL2が主翼の半径方向長さL1より短く、且つ、補助翼の羽根高さH2が主翼の羽根高さH1より低く構成した空調用送風機羽根車を提供するものである。また、図３のように、翼端渦Dは、主翼２の前縁５の外周の角から、発生して主翼２上を移動して、主翼２の途中から剥離する。
【００２１】
この羽根車１を、図４のように適当なケ−シング９に収め、モ−タ８により回転させる事で空力仕事をさせるものである。
【００２２】
そして、この構成によって、主翼２の枚数が２枚であるので、主に空力性能に寄与する翼面積の投入量が適正であるので、流体摩擦が少なく、ファン効率が高い。また、２枚の主翼２のみでは、羽根車の回転騒音が乱流騒音より非常に高く、とても耳障りである。翼枚数ｚと回転数Nｒｐｍとすると、主翼２の間に設けられた補助翼３も空力仕事の寄与するので、全体として、翼枚数は４枚と言え、それぞれに空力仕事をするので、空力仕事が分散させるので、翼１枚当たりの翼面上の圧力変動のレベルが小さくなり、回転騒音Nz音のレベルは、乱流騒音のレベルより低く、聴感も良好である。補助翼３の半径方向長さL2が主翼の半径方向長さL1より短く、且つ、補助翼の羽根高さH2が主翼の羽根高さH1より低いので、主翼から発生する翼端渦に補助翼が、干渉することがなく、羽根車としての騒音も低くできる。
【００２３】
（実施例２）
本発明の第２の実施例を、図５・６を用いて、説明する。
【００２４】
図５は、本発明の第２の実施例の空調用送風機羽根車の平面図。図６は、本発明の第２の実施例の空調用送風機羽根車の子午面図である。
【００２５】
図５に於いて、翼枚数が２枚からなる主翼２を設け、主翼２の外周側弦長がハブ側弦長より長く、主翼の外周側前縁に三角形の一辺を合わせる形で三角状の翼１０をつけて、翼の半径を同一とし、主翼２の間に翼枚数が全体として２枚からなる略扇状の補助翼３を設け、補助翼３の半径方向長さL2が主翼の半径方向長さL1より短く、且つ、補助翼の羽根高さH2が主翼の羽根高さH1より低く構成した空調用送風機羽根車である。
【００２６】
そして、この構成によって、主翼２の外周側前縁５に三角形の一辺を合わせる形で三角状の翼１０をつけて、翼の半径を同一とすることで、三角状の翼１０の頂点を起点として、翼端渦Dが発生する。この三角状の翼１０は、翼端渦Dの発生の状況を規定する作用を有する。そのため、補助翼２の半径方向長さL2が主翼の半径方向長さL1より短く、且つ、補助翼３の羽根高さH2が主翼の羽根高さH1より低いのと相まって、主翼２から発生する翼端渦Dに補助翼３が、干渉することなしに、三角状の翼１０が翼端渦Dをコントロ−ルできるものであり、羽根車１としての騒音も十分に低くできる。
【００２７】
（実施例３）
本発明の第３の実施例を、図７・８を用いて、説明する。
【００２８】
図７は、本発明の第３の実施例の空調用送風機羽根車の平面図。図８は、本発明の第３の実施例の空調用送風機羽根車の子午面図である。
【００２９】
図７に於いて、、翼枚数が２枚からなる主翼２を設け、主翼２の外周側弦長がハブ側弦長より長く、主翼２の前縁１１を回転方向に前傾した略螺旋曲線にて構成し、主翼２の間に翼枚数が全体として２枚からなる補助翼３を設け、補助翼３の半径方向長さL2が主翼の半径方向長さL1より短く、且つ、補助翼の羽根高さH2が主翼の羽根高さH1より低く構成した空調用送風機羽根車を提供するものである。
【００３０】
そして、この構成によって、主翼２の前縁１１を回転方向に前傾した略螺旋曲線にすることで、螺旋曲線の頂点を起点として、主翼２の翼端渦Dが発生するので、翼端渦Dの発生の状況を規定する作用を有する。そのため、補助翼３の半径方向長さL2が主翼の半径方向長さL1より短く、且つ、補助翼の羽根高さH2が主翼の羽根高さH1より低いのと相まって、主翼２から発生する翼端渦Dに補助翼３が、干渉することなしに、前縁１１の螺旋曲線の頂点が翼端渦Dをコントロ−ルできるものであり、羽根車１としての騒音も十分に低くできる。
【００３１】
（実施例４）
本発明の第４の実施例を、図９・１０を用いて、説明する。
【００３２】
図９は、本発明の第４の実施例の空調用送風機羽根車の平面図。図１０は、本発明の第４の実施例の空調用送風機羽根車の子午面図である。
【００３３】
図９において、翼枚数が２枚からなる主翼２を設け、主翼２の外周側弦長がハブ側弦長より長く、主翼２の間に翼枚数が全体として２枚からなる補助翼３を設け、補助翼３の前縁１２を回転方向に前傾させた略扇台状で構成し、補助翼３の半径方向長さL2が前記主翼の半径方向長さL1より短く、且つ、補助翼の羽根高さH2が主翼の羽根高さH1より低く構成した空調用送風機羽根車を提供するものである。
【００３４】
そして、この構成によって、補助翼３の前縁１２を回転方向にα度前傾させた略扇台状にしていることで、補助翼３が斜めに空気を切るので、補助翼３の前縁１２が空気を切る時間のタイミングがずれるので、補助翼３の空力仕事による騒音が小さくなり、羽根車１全体として、更に、低騒音化を図れるものである。
【００３５】
（実施例５）
本発明の第５の実施例を、図１１・１２を用いて、説明する。
【００３６】
図１１は、本発明の第５の実施例の空調用送風機羽根車の平面図。図１２は、本発明の第５の実施例の空調用送風機羽根車の子午面図である。
【００３７】
図１１において、翼枚数が２枚からなる主翼２を設け、主翼２の外周側弦長がハブ側弦長より長く、主翼２の間に翼枚数が全体として２枚からなる補助翼３を設け、補助翼３の前縁１３を回転方向に前傾させた螺旋曲線にて構成し、補助翼３の半径方向長さL2が主翼の半径方向長さL1より短く、且つ、補助翼の羽根高さH2が前記主翼の羽根高さH1より低く構成した空調用送風機羽根車を提供するものである。
【００３８】
そして、この構成によって、補助翼３の前縁１３を回転方向に前傾させた螺旋曲線にしているので、補助翼３が斜めに空気を切るので、補助翼３の前縁１３が空気を切る時間のタイミングがずれるので、補助翼３の空力仕事による騒音が小さくなり、羽根車全体として、更に、低騒音化を図れるものである。
【００３９】
（実施例６）
本発明の第６の実施例を、図１３・１４を用いて、説明する。
【００４０】
図１３は、本発明の第６の実施例の空調用送風機羽根車の平面図。図１４は、本発明の第６の実施例の空調用送風機羽根車の子午面図である。
【００４１】
図１３に於いて、略円錐台状のハブ１６に、複数枚の翼を設けてなる斜流ファン２０において、翼枚数が２枚からなる主翼１４を設け、主翼１４の外周側弦長がハブ側弦長より長く、主翼１４の間に翼枚数が全体として２枚からなる略扇状の補助翼１５を設け、補助翼１５の半径方向長さL2が主翼の半径方向長さL1より短く、且つ、補助翼の羽根高さH2が主翼の羽根高さH1より低く構成した空調用送風機羽根車２０を提供するものである。１７は前縁であり、１８は後縁であり、１９はチップ部である。
【００４２】
そして、この構成によって、主翼１４の枚数が２枚であるので、主に空力性能に寄与する翼面積の投入量が適正であるので、流体摩擦が少なく、ファン効率が高い。また、２枚の主翼１４のみでは、羽根車２０の回転騒音が乱流騒音より非常に高く、とても耳障りである。翼枚数ｚと回転数Nｒｐｍとすると、主翼１４の間に設けられた補助翼１５も空力仕事の寄与するので、全体として、翼枚数は４枚と言え、それぞれに空力仕事をするので、空力仕事が分散させるので、翼１枚当たりの翼面上の圧力変動のレベルが小さくなり、回転騒音Nz音のレベルは、乱流騒音のレベルより低く、聴感も良好である。補助翼１５の半径方向長さL2が主翼１４の半径方向長さL1より短く、且つ、補助翼１５の羽根高さH2が主翼１４の羽根高さH1より低いので、主翼１４から発生する翼端渦に補助翼１５が、干渉することがなく、羽根車２０としての騒音も低くできる。さらに、斜流ファンであるので、プロペラファンと比較して、遠心力場による圧力上昇があるので、静圧も高くすることができるものである。
【図面の簡単な説明】
【００４３】
【図１】本発明の第１の実施例の空調用送風機羽根車の平面図
【図２】本発明の第１の実施例の空調用送風機羽根車の子午面図
【図３】本発明の第１の実施例の空調用送風機羽根車の翼端渦の状況を示した模式図
【図４】本発明の第１の実施例の空調用送風機羽根車の動作状況を示した模式図
【図５】本発明の第２の実施例の空調用送風機羽根車の平面図
【図６】本発明の第２の実施例の空調用送風機羽根車の子午面図
【図７】本発明の第３の実施例の空調用送風機羽根車の平面図
【図８】本発明の第３の実施例の空調用送風機羽根車の子午面図
【図９】本発明の第４の実施例の空調用送風機羽根車の平面図
【図１０】本発明の第４の実施例の空調用送風機羽根車の子午面図
【図１１】本発明の第５の実施例の空調用送風機羽根車の平面図
【図１２】本発明の第５の実施例の空調用送風機羽根車の子午面図
【図１３】本発明の第６の実施例の空調用送風機羽根車の平面図
【図１４】本発明の第６の実施例の空調用送風機羽根車の子午面図
【図１５】従来の実施例を示す図
【符号の説明】
【００４４】
１    空調用送風機羽根車
２    主翼
３    補助翼
４    ハブ
５    前縁
６    後縁
７    チップ部
８    モ−タ
９    オリフィス
１０    三角状の翼
１１    前縁
１２    補助翼の前縁
１３    補助翼の前縁
１４    斜流ファンの主翼
１５    斜流ファンの補助翼
１６    略円錐台状のハブ
１７    斜流ファンの前縁
１８    斜流ファンの後縁
１９    斜流ファンのチップ部
２０    斜流ファンの羽根車
【図１】
2005054717.tif 000003
【図２】
2005054717.tif 000004
【図３】
2005054717.tif 000005
【図４】
2005054717.tif 000006
【図５】
2005054717.tif 000007
【図６】
2005054717.tif 000008
【図７】
2005054717.tif 000009
【図８】
2005054717.tif 000010
【図９】
2005054717.tif 000011
【図１０】
2005054717.tif 000012
【図１１】
2005054717.tif 000013
【図１２】
2005054717.tif 000014
【図１３】
2005054717.tif 000015
【図１４】
2005054717.tif 000016
【図１５】
2005054717.tif 000017